(57)【要約】  【課題】  必要な遊技関連信号の組み合わせや、遊技関連信号の取捨選択を容易にでき、しかも外部接続端子に対する信号線の接続作業も容易にできるようにする。  【解決手段】  第１外部接続端子基板４２に複数種類の遊技関連信号を取り出し可能な複数の外部接続端子５５ａ，５５ｂ，５６ａ，５６ｂ，５７ａ，５７ｂを備え、第１外部接続端子基板４２又は第１外部接続端子基板４２とは別の第２外部接続端子基板４３に、複数種類の遊技関連信号をその種類数よりも少ない複数の遊技関連信号を単位組とする複数組に分けて、その各単位組毎に単位組内の複数の遊技関連信号を択一的に選択する選択手段６４〜６６と、この選択手段６４〜６６で選択された遊技関連信号を外部に取り出し可能な選択外部接続端子６７〜６９とを備えたものである。【選択図】    図８
2011011089.tif 000002
【特許請求の範囲】
【請求項１】
第１外部接続端子基板に複数種類の遊技関連信号を取り出し可能な複数の外部接続端子を備えた弾球遊技機において、前記第１外部接続端子基板又は前記第１外部接続端子基板とは別の第２外部接続端子基板に、同系統の複数種類の遊技関連信号を択一的に選択する選択手段と、該選択手段で選択された遊技関連信号を外部に取り出し可能な選択外部接続端子とを備えたことを特徴とする弾球遊技機。
【請求項２】
第１外部接続端子基板に複数種類の遊技関連信号を取り出し可能な複数の外部接続端子を備えた弾球遊技機において、前記第１外部接続端子基板又は前記第１外部接続端子基板とは別の第２外部接続端子基板に、複数種類の遊技関連信号をその種類数よりも少ない複数の遊技関連信号を単位組とする複数組に分けて、その各単位組毎に該単位組内の複数の遊技関連信号を択一的に選択する選択手段と、該選択手段で選択された遊技関連信号を外部に取り出し可能な選択外部接続端子とを備えたことを特徴とする弾球遊技機。
【請求項３】
前記選択手段で選択可能の前記遊技関連信号は、特定の遊技内容に対応する複数種類の個別の遊技信号と、該複数種類の個別の遊技信号の一部又は全部を組み合わせた複数の遊技信号とを含むことを特徴とする請求項１又は２に記載の弾球遊技機。
【請求項４】
図柄表示手段の変動後の図柄が大当たり態様で確定した場合に遊技者に有利な大当たりを発生させる大当たり発生手段と、所定の条件を充足した場合に前記大当たりの終了後に遊技者に有利な特別遊技状態を発生させる特別遊技状態発生手段とを備え、遊技機本体の裏側に装着された第１外部接続端子基板に、前記大当たりに関連する複数種類の大当たり信号を取り出し可能な複数の外部接続端子と、前記特別遊技状態に関連する複数種類の遊技状態信号を取り出し可能な複数の外部接続端子とを備えた弾球遊技機において、前記第１外部接続端子基板又は前記遊技機本体の裏側に前記第１外部接続端子基板とは別に着脱自在に装着された第２外部接続端子基板に、前記各大当たり信号と前記複数種類の大当たり信号の一部又は全部を組み合わせた複数の信号の何れかを択一的に選択する大当たり関連選択手段と、該大当たり関連選択手段で選択された信号を外部に取り出し可能な大当たり関連外部接続端子と、前記各遊技状態信号及び前記複数種類の遊技状態信号の一部又は全部を組み合わせた信号の何れかを択一的に選択する遊技状態関連選択手段と、該遊技状態関連選択手段で選択された信号を外部に取り出し可能な遊技状態関連外部接続端子とを備えたことを特徴とする弾球遊技機。
【請求項５】
図柄表示手段の変動後の図柄が大当たり態様で確定した場合に遊技者に有利な大当たりを発生させる大当たり発生手段と、所定の条件を充足した場合に前記大当たりの終了後に遊技者に有利な特別遊技状態を発生させる特別遊技状態発生手段とを備え、遊技機本体の裏側に装着された第１外部接続端子基板に、前記大当たりに関連する複数種類の大当たり信号を取り出し可能な複数の外部接続端子と、前記特別遊技状態に関連する複数種類の遊技状態信号を取り出し可能な複数の外部接続端子とを備えた弾球遊技機において、前記第１外部接続端子基板又は前記遊技機本体の裏側に前記第１外部接続端子基板とは別に着脱自在に装着された第２外部接続端子基板に、前記各大当たり信号、前記各遊技状態信号及びこれらの一部又は全部を組み合わせた複数の信号の何れかを択一的に選択する大当たり・遊技状態関連選択手段と、該大当たり・遊技状態関連選択手段で選択された信号を外部に取り出し可能な大当たり・遊技状態関連外部接続端子とを備えたことを特徴とする弾球遊技機。
【発明の詳細な説明】
【技術分野】
【０００１】
本発明は、外部接続端子から取り出す遊技関連信号を選択可能にした弾球遊技機に関するものである。
【背景技術】
【０００２】
パチンコ機等の弾球遊技機では、遊技機本体の裏側に、複数の外部接続端子を有する外部接続端子基板を備えている。そして、弾球遊技機を遊技ホールの島設備に設置した後、その外部接続端子に島設備側の信号線を接続して管理コンピュータ等の管理装置へと大当たり信号等の遊技関連信号を送信し、管理装置側で各弾球遊技機の状況を管理できるようにしている（特許文献１）。
【先行技術文献】
【特許文献】
【０００３】
【特許文献１】特開平８−５２２６４号公報
【発明の概要】
【発明が解決しようとする課題】
【０００４】
近時では多彩な遊技性を持った弾球遊技機が登場して来た。これに伴って外部接続端子の種類数が多くなり、しかもその仕様も各メーカー、各機種で大きく異なっている。一方、島設備に配線されている信号線の数には限りがある。例えば、遊技盤側の信号線の場合、多くの遊技ホールは３本程度が一般的である。このため信号線の数に比して外部接続端子の数が多いため、データ管理に必要な遊技関連信号の組み合わせや、遊技関連信号の取捨選択が難しく、外部接続端子に対する信号線の接続作業そのものも煩雑になる欠点がある。
【０００５】
本発明は、このような従来の問題点に鑑み、必要な遊技関連信号の組み合わせや、遊技関連信号の取捨選択を容易にでき、しかも外部接続端子に対する信号線の接続作業も容易にできる弾球遊技機を提供することを目的とする。
【課題を解決するための手段】
【０００６】
第１の発明は、第１外部接続端子基板に複数種類の遊技関連信号を取り出し可能な複数の外部接続端子を備えた弾球遊技機において、前記第１外部接続端子基板又は前記第１外部接続端子基板とは別の第２外部接続端子基板に、同系統の複数種類の遊技関連信号を択一的に選択する選択手段と、該選択手段で選択された遊技関連信号を外部に取り出し可能な選択外部接続端子とを備えたものである。
【０００７】
第２の発明は、第１外部接続端子基板に複数種類の遊技関連信号を取り出し可能な複数の外部接続端子を備えた弾球遊技機において、前記第１外部接続端子基板又は前記第１外部接続端子基板とは別の第２外部接続端子基板に、複数種類の遊技関連信号をその種類数よりも少ない複数の遊技関連信号を単位組とする複数組に分けて、その各単位組毎に該単位組内の複数の遊技関連信号を択一的に選択する選択手段と、該選択手段で選択された遊技関連信号を外部に取り出し可能な選択外部接続端子とを備えたものである。
【０００８】
第１又は第２の発明において、前記選択手段で選択可能の前記遊技関連信号は、特定の遊技内容に対応する複数種類の個別の遊技信号と、該複数種類の個別の遊技信号の一部又は全部を組み合わせた複数の遊技信号とを含むことがある。
【０００９】
第３の発明は、図柄表示手段の変動後の図柄が大当たり態様で確定した場合に遊技者に有利な大当たりを発生させる大当たり発生手段と、所定の条件を充足した場合に前記大当たりの終了後に遊技者に有利な特別遊技状態を発生させる特別遊技状態発生手段とを備え、遊技機本体の裏側に装着された第１外部接続端子基板に、前記大当たりに関連する複数種類の大当たり信号を取り出し可能な複数の外部接続端子と、前記特別遊技状態に関連する複数種類の遊技状態信号を取り出し可能な複数の外部接続端子とを備えた弾球遊技機において、前記第１外部接続端子基板又は前記遊技機本体の裏側に前記第１外部接続端子基板とは別に着脱自在に装着された第２外部接続端子基板に、前記各大当たり信号と前記複数種類の大当たり信号の一部又は全部を組み合わせた複数の信号の何れかを択一的に選択する大当たり関連選択手段と、該大当たり関連選択手段で選択された信号を外部に取り出し可能な大当たり関連外部接続端子と、前記各遊技状態信号及び前記複数種類の遊技状態信号の一部又は全部を組み合わせた信号の何れかを択一的に選択する遊技状態関連選択手段と、該遊技状態関連選択手段で選択された信号を外部に取り出し可能な遊技状態関連外部接続端子とを備えたものである。
【００１０】
第４の発明は、図柄表示手段の変動後の図柄が大当たり態様で確定した場合に遊技者に有利な大当たりを発生させる大当たり発生手段と、所定の条件を充足した場合に前記大当たりの終了後に遊技者に有利な特別遊技状態を発生させる特別遊技状態発生手段とを備え、遊技機本体の裏側に装着された第１外部接続端子基板に、前記大当たりに関連する複数種類の大当たり信号を取り出し可能な複数の外部接続端子と、前記特別遊技状態に関連する複数種類の遊技状態信号を取り出し可能な複数の外部接続端子とを備えた弾球遊技機において、前記第１外部接続端子基板又は前記遊技機本体の裏側に前記第１外部接続端子基板とは別に着脱自在に装着された第２外部接続端子基板に、前記各大当たり信号、前記各遊技状態信号及びこれらの一部又は全部を組み合わせた複数の信号の何れかを択一的に選択する大当たり・遊技状態関連選択手段と、該大当たり・遊技状態関連選択手段で選択された信号を外部に取り出し可能な大当たり・遊技状態関連外部接続端子とを備えたものである。
【発明の効果】
【００１１】
本発明によれば、必要な遊技関連信号の組み合わせや、遊技関連信号の取捨選択を容易にでき、しかも外部接続端子に対する信号線の接続作業も容易にできる。
【図面の簡単な説明】
【００１２】
【図１】本発明の第１の実施例を示すパチンコ機の正面図である。
【図２】同遊技盤の正面図である。
【図３】同パチンコ機の背面図である。
【図４】同制御系のブロック図である。
【図５】同外部接続端子基板部分の断面図である。
【図６】同外部接続端子基板の取り付け部の背面図である。
【図７】同外部接続端子基板相互の説明図である。
【図８】同外部接続端子等の配線説明図である。
【図９】同信号の説明図である。
【図１０】本発明の第２の実施例を示す外部接続端子基板の取り付け部の背面図である  。
【図１１】同外部接続端子基板の取り付け部の背面図である。
【図１２】本発明の第２の実施例を示す外部接続端子等の配線説明図である。
【図１３】同信号の説明図である。
【発明を実施するための形態】
【００１３】
以下、本発明の実施形態を図面に基づいて詳述する。図１〜図９は本発明をパチンコ機に採用した第１の実施例を例示している。図１において、遊技機本体１は、矩形状の外枠２と、この外枠２の前側に開閉自在に枢着された前枠３とを備えている。前枠３の前側には、ガラス扉４と前面板５とが上下に配置され、前枠３に開閉自在に枢支されている。
【００１４】
前面板５の前側には発射用の遊技球を貯留する上皿６が、前面板５の下側で前枠３の前側には余剰球等を貯留する下皿７が夫々配置されている。下皿７の一側には、遊技球を発射する発射手段（図示省略）の発射ハンドル８が設けられている。
【００１５】
１１は遊技盤で、ガラス扉４の後側に対応するように、前枠３の裏側に着脱自在に装着されている。遊技盤１１の前面側には、図２に示すように、発射手段から発射された遊技球を案内するガイドレール１２が環状に装着されると共に、そのガイドレール１２の内側の遊技領域１３に、センターケース１４、普通図柄始動手段１５、特別図柄始動手段１６、大入賞手段１７、普通入賞手段１８等の各種遊技部品が配置されている。
【００１６】
センターケース１４には、液晶式等の画像表示装置２１の他、普通図柄表示手段２２、第１，第２特別図柄表示手段２３ａ，２３ｂ、普通保留個数表示手段２４等が設けられている。画像表示装置２１は、第１，第２演出図柄表示手段２５ａ，２５ｂ、及び第１，第２特別保留個数表示手段２６ａ，２６ｂを構成している。
【００１７】
普通図柄表示手段２２は普通図柄を変動表示するためのもので、例えば「○」「×」の２種類の普通図柄に対応する２個の発光体（例えばＬＥＤ）により構成されている。そして、普通図柄表示手段２２の各発光体は、普通図柄始動手段１５が遊技球を検出することを条件に所定時間交互に点滅して、普通図柄始動手段１５による遊技球の検出時に取得された当たり判定用乱数値が予め定められた当たり判定値と一致する場合には当たり態様に対応する「○」側の発光体が発光した状態で、それ以外の場合には外れ態様に対応する「×」側の発光体が発光した状態で、各発光体が点滅を終了するようになっている。
【００１８】
また普通図柄表示手段２２の変動表示中、又は後述する当たり中に普通図柄始動手段１５が遊技球を検出した場合には、その検出時に取得された当たり判定用乱数値が予め定められた上限保留個数、例えば４個を限度として記憶されると共に、例えば上限保留個数と同数の発光体よりなる普通保留個数表示手段２４がその発光個数により当たり判定用乱数値の記憶個数（以下、普通保留個数）を表示して、その時点での普通保留個数を遊技者に報知するようになっている。
【００１９】
特別図柄始動手段１６は、第１，第２特別図柄表示手段２３ａ，２３ｂによる図柄変動を開始させるためのもので、上下２つの第１，第２特別始動口２７ａ，２７ｂと、下側の第２特別始動口２７ｂを開閉する開閉手段２８とを備え、例えばセンターケース１４の下側に配置されている。
【００２０】
第１特別始動口２７ａは、開閉手段等を有しない非作動式入賞口である。第２特別始動口２７ｂは、開閉手段２８により遊技球が入賞可能な開状態と入賞不可能な閉状態とに切り換え可能な作動式入賞口で、普通図柄表示手段２２の変動後の停止図柄が当たり態様となって当たりが発生したときに、開閉手段２８が閉状態から開状態に変化して所定時間維持されるように構成されている。
【００２１】
第１，第２特別図柄表示手段２３ａ，２３ｂは夫々１個又は複数個、例えば各１個の特別図柄を変動表示可能な７セグメント式等の表示手段により構成されている。第１特別図柄表示手段２３ａは第１特別始動口２７ａに、第２特別図柄表示手段２３ｂは第２特別始動口２７ｂに遊技球が入賞することを条件に第１，第２特別図柄を所定時間変動表示して、それら第１，第２特別始動口２７ａ，２７ｂへの入賞時に取得された大当たり判定乱数値が予め定められた大当たり判定値と一致する場合には所定の大当たり態様で、それ以外の場合には外れ態様で停止するようになっている。
【００２２】
第１，第２特別図柄には、例えば１０種類の数字図柄「０」〜「９」と記号図柄「−」とが用いられており、「０」〜「９」が大当たり態様、「−」が外れ態様に設定されている。
【００２３】
また第１，第２特別図柄の変動表示中、又は後述する大当たり中に第１，第２特別始動口２７ａ，２７ｂに遊技球が入賞した場合には、その入賞時に取得された大当たり判定乱数値等が夫々所定の上限保留個数、例えば各４個を限度として記憶されると共に、第１，第２特別保留個数表示手段２６ａ，２６ｂが夫々大当たり判定乱数値の記憶個数  （以下、第１，第２特別保留個数）を表示して、その時点での第１，第２特別保留個数を遊技者に報知するようになっている。
【００２４】
なお、大当たり中は第１，第２特別図柄表示手段２３ａ，２３ｂの図柄変動を開始しない他、第１，第２特別図柄表示手段２３ａ，２３ｂの何れか一方の図柄変動中には他方の図柄変動を開始せず、両方が同時に変動中とならないように制御される。更に第１，第２特別保留個数が共に１以上である場合には、第１特別図柄表示手段２３ａの図柄変動よりも第２特別図柄表示手段２３ｂの図柄変動を優先して行うように構成されている。
【００２５】
第１，第２演出図柄表示手段２５ａ，２５ｂは、第１，第２特別図柄表示手段２３ａ，２３ｂによる第１，第２特別図柄の変動表示と時間的に同調して第１，第２演出図柄を変動表示するもので、夫々１個又は複数個、例えば左右方向に３個の第１，第２演出図柄を各種の演出画像と共に画像表示装置２１の表示画面２１ａに変動表示可能に構成されている。
【００２６】
そして、第１演出図柄表示手段２５ａは第１特別始動口２７ａに、第２演出図柄表示手段２５ｂは第２特別始動口２７ｂに遊技球が入賞することを条件に、第１，第２特別図柄の変動開始と同時に所定の変動パターンに従って第１，第２演出図柄の変動を開始すると共に、第１，第２特別図柄の変動停止と同時に最終停止するように、第１，第２演出図柄を左、右、中等の所定の順序で停止させるようになっている。
【００２７】
なお、第１，第２特別図柄表示手段２３ａ，２３ｂは同時に変動することがないため、表示画面２１ａ上で第１，第２演出図柄表示手段２５ａ，２５ｂが同時に図柄変動表示を行うことはない。
【００２８】
演出図柄には、例えば「０」〜「９」の１０種類の数字図柄が用いられ、「６・６・６」「７・７・７」等、３つの図柄が全て同じ図柄で揃ったものが大当たり態様、少なくとも１つの図柄が異なるものが外れ態様となっている。
【００２９】
なお、第１，第２演出図柄表示手段２５ａ，２５ｂによる第１，第２演出図柄の変動後の停止図柄は、第１，第２特別図柄表示手段２３ａ，２３ｂによる第１，第２特別図柄が大当たり態様で停止する場合にはその第１，第２特別図柄と同じ数字図柄よりなる大当たり態様となり、第１，第２特別図柄が外れ態様で停止する場合には任意の外れ態様となる。例えば、第１特別図柄が「７」で停止する場合には第１演出図柄は「７・７・７」で停止し、第１特別図柄が「−」で停止する場合には第１演出図柄は「３・４・５」等の任意の外れ態様で停止するようになっている。
【００３０】
大入賞手段１７は、遊技球が入賞可能な開状態と入賞不可能な閉状態とに切り換え可能な開閉板２９を備えた開閉式入賞手段で、第１，第２特別図柄表示手段２３ａ，２３ｂの変動後の第１，第２特別図柄が大当たり態様となることに基づいて大当たりが発生したときに、開閉板２９が複数種類の開放パターンの何れかに従って前側に開放して、その上に落下した遊技球を内部へと入賞させるようになっている。
【００３１】
遊技盤１１の裏側には、図３に示すように、センターケース１４等の遊技部品を裏側から覆う裏カバー３１が装着されている。裏カバー３１の裏側には、演出制御基板３２（図４参照）が格納された演出基板ケース３３と、主制御基板３４（図４参照）が格納された主基板ケース３５とが着脱自在に装着されている。
【００３２】
前枠３の後側には、遊技盤１１を裏側から押圧して固定するための裏機構板３６が開閉自在に枢着されており、遊技盤装着枠３７の後側に設けられた複数の締結具３８により閉状態で固定可能となっている。
【００３３】
裏機構板３６にはその中央部に裏カバー３１が嵌合する開口部３９が形成され、この開口部３９の上側に遊技球タンク４０とタンクレール４１とが上下に配置され、またその一側には図５、図６に示すように端子カバー４９により覆われた第１，第２外部接続端子基板４２，４３が配置されている。開口部３９の一側には払い出し手段４４が、下側には払い出し案内手段４５の他、電源基板が格納された電源基板ケース４６、払い出し制御基板が格納された払い出し基板ケース４７等が夫々設けられている。
【００３４】
払い出し手段４４は、遊技球タンク４０内に貯留された遊技球がタンクレール４１を介して供給され、遊技球が大入賞手段１７等に入賞したとき、或いは図外の自動球貸し機から球貸し指令があったときに作動して、所定個数の遊技球を払い出し案内手段４５を経て上皿６へと払い出すようになっている。
【００３５】
図５〜図７に示すように、第１外部接続端子基板４２は裏機構板３６の裏側に形成された矩形枠状の取り付け部５０に嵌合して、その内側の取り付けボス５１にネジ等により固定されている。また第２外部接続端子基板４３は、第１外部接続端子基板４２との間に所定の間隔をおいてその裏側に配置され、取り付け部５０等から後方に突出する上下一対の取り付け爪５２等により着脱自在に装着されている。端子カバー４９は前面側が開口する箱状であって、前側に突出する上下一対の係合爪５３を有し、この係合爪５３を裏機構板３６の係合部５４に係合することにより、裏機構板３６の裏側に着脱自在に固定されている。
【００３６】
図８に示すように、第１外部接続端子基板４２は、大当たり関連、遊技状態関連、図柄確定関連毎に複数（例えば各２個）の外部接続端子５５ａ，５５ｂ，５６ａ，５６ｂ，５７ａ，５７ｂが設けられており、その外部接続端子５５ａ，５５ｂ，５６ａ，５６ｂ，５７ａ，５７ｂがコネクタ５８〜６０、ハーネス６１〜６３を介して主制御基板３４に接続されている。
【００３７】
また第２外部接続端子基板４３には大当たり関連選択手段６４、遊技状態関連選択手段６５及び図柄確定関連選択手段６６と、各選択手段６４〜６６の前段に接続されたＯＲ素子１２３〜１２５と、各選択手段６４〜６６の後段に接続された大当たり関連外部接続端子６７、遊技状態関連外部接続端子６８及び図柄確定関連外部接続端子６９とが設けられている。
【００３８】
各選択手段６４〜７６はハーネス７０〜７２と、そのコネクタ７３ａ，７３ｂ，７４ａ，７４ｂ，７５ａ，７５ｂを介して第１外部接続端子基板４２の外部接続端子５５ａ，５５ｂ，５６ａ，５６ｂ，５７ａ，５７ｂに着脱自在に接続されている。外部接続端子６７〜６９には、島設備側の信号線７７〜７９がコネクタを介して着脱自在に接続されている。信号線７７〜７９は端子カバー４９の挿通孔４９ａに挿通され、管理装置８０に接続されている。
【００３９】
図４は本パチンコ機の制御系のブロック図である。図４において、主制御基板３４は主に遊技盤１１側の遊技動作に関わる制御を行うためのもので、ＣＰＵ，ＲＯＭ，ＲＡＭ等により構成される普通乱数作成処理手段８１、普通始動口チェック処理手段８２、普通乱数記憶手段８３、普通図柄処理手段８４、当たり発生手段８５、普通図柄表示制御手段８６、第１，第２特別乱数作成処理手段８７ａ，８７ｂ、第１，第２特別始動口チェック処理手段８８ａ，８８ｂ、第１，第２特別乱数記憶手段８９ａ，８９ｂ、第１，第２特別図柄処理手段９０ａ，９０ｂ、大当たり発生手段９１、第１，第２特別図柄表示制御手段９２ａ，９２ｂ、特別遊技状態発生手段９３、制御コマンド送信手段９４、外部出力手段９５等を備えている。
【００４０】
普通乱数作成処理手段８１は、変動後の普通図柄を当たり態様とするか否かの判定に用いる当たり判定用乱数を所定時間毎に繰り返し発生するように構成されている。
【００４１】
普通始動口チェック処理手段８２は、普通図柄始動手段１５による遊技球の検出に基づく処理を行うもので、普通図柄始動手段１５が遊技球を検出することに基づいて、普通乱数作成処理手段８１で作成された当たり判定用乱数値を１個取得し、その当たり判定用乱数値を予め定められた上限保留個数（例えば４個）を限度として普通乱数記憶手段８３に記憶させるように構成されている。
【００４２】
普通図柄処理手段８４は普通図柄の変動表示に関する処理を行うもので、当たり判定手段９６、普通停止図柄選択手段９７、変動時間選択手段９８等を備えている。
【００４３】
当たり判定手段９６は、普通図柄の変動後の停止図柄を当たり態様とするか否かの判定を行うもので、普通図柄表示手段２２が変動表示可能な状態となり且つ普通乱数記憶手段８３に１個以上の当たり判定用乱数値が記憶されていること（普通保留個数が１以上であること）を条件に、普通乱数記憶手段８３に最も早く記憶された当たり判定用乱数値を取り出し、その当たり判定用乱数値が予め定められた当たり判定値と一致するか否かに応じて当たり／外れの判定を行うように構成されている。
【００４４】
普通停止図柄選択手段９７は、普通図柄の変動後の停止図柄の種類を選択するものである。なお、当たり態様、外れ態様に対応する普通図柄は１種類であり、当たり判定機能による当たり／外れの判定結果に基づいて、当たり判定の場合には「○」が、外れ判定の場合には「×」が画一的に選択される。
【００４５】
変動時間選択手段９８は、普通図柄の変動時間を選択するものである。普通図柄の変動時間は、特別遊技状態中における変動時間（例えば２．７秒）が通常遊技状態中における変動時間（例えば２７秒）よりも短くなるように設定されている。
【００４６】
当たり発生手段８５は、普通図柄処理手段８４の当たり判定手段９６による判定結果が当たり判定となり、普通図柄表示手段２２の変動後の停止図柄が当たり態様となったときに、第２特別始動口２７ｂの開閉手段２８を複数種類の開閉パターンの何れかに従って開状態に変化させるようになっている。
【００４７】
普通図柄表示制御手段８６は、普通図柄処理手段８４による普通図柄処理に基づいて普通図柄表示手段２２の表示制御を行うもので、普通図柄表示手段２２が変動表示可能な状態となり且つ普通乱数記憶手段８３に１個以上の当たり判定用乱数値が記憶されていること（普通保留個数が１以上であること）を条件に普通図柄表示手段２２による普通図柄の変動を開始させ、変動時間選択手段９８で選択された変動時間が経過することに基づいて、普通停止図柄選択手段９７で選択された停止図柄で普通図柄の変動を停止させるようになっている。
【００４８】
第１，第２特別乱数作成処理手段８７ａ，８７ｂは、変動後の第１，第２特別図柄を大当たり態様とするか否かの判定に用いる大当たり判定用乱数の他、変動後の特別図柄が大当たり態様となる場合の停止図柄の選択に用いる大当たり図柄用乱数、特別図柄の変動パターンの選択に用いる変動パターン選択用乱数、その他の所定の乱数を繰り返し発生する特別乱数作成処理を行うように構成されている。
【００４９】
第１，第２特別始動口チェック処理手段８８ａ，８８ｂは、第１，第２特別始動口２７ａ，２７ｂへの遊技球の入賞に基づく処理を行うもので、第１，第２特別始動口２７ａ，２７ｂに遊技球が入賞することに基づいて第１，第２特別乱数作成処理手段８７ａ，８７ｂで作成された大当たり判定用乱数値、大当たり図柄用乱数値を１個ずつ取得し、それら大当たり判定用乱数値及び大当たり図柄用乱数値を予め定められた上限保留個数（例えば各４個）を限度として第１，第２特別乱数記憶手段８９ａ，８９ｂに記憶させるように構成されている。
【００５０】
第１，第２特別図柄処理手段９０ａ，９０ｂは、第１，第２特別図柄の変動表示に関する処理を行うもので、第１，第２大当たり判定手段９９ａ，９９ｂ、第１，第２特別停止図柄選択手段１００ａ，１００ｂ、第１，第２変動パターン選択手段１０１ａ，１０１ｂ等を備えている。
【００５１】
第１，第２大当たり判定手段９９ａ，９９ｂは、乱数抽選により変動後の第１，第２特別図柄を大当たり態様とするか否かの大当たり判定を行うもので、第１，第２特別図柄表示手段２３ａ，２３ｂが変動表示可能な状態となり且つ第１，第２特別乱数記憶手段８９ａ，８９ｂに１個以上の大当たり判定用乱数値が記憶されていること（第１，第２特別保留個数が１以上であること）を条件に、第１，第２特別乱数記憶手段８９ａ，８９ｂに最も早く記憶された大当たり判定用乱数値を取り出し、その大当たり判定用乱数値が予め定められた大当たり判定値と一致するか否かに応じて大当たり／外れの判定を行うように構成されている。
【００５２】
なお、大当たり中は第１，第２特別図柄表示手段２３ａ，２３ｂの図柄変動を開始しない他、第１，第２特別図柄表示手段２３ａ，２３ｂの何れか一方の図柄変動中には他方の図柄変動を開始せず、両方が同時に変動中とならないように制御され、且つ第１，第２特別保留個数が共に１以上である場合には、第１特別図柄表示手段２３ａの図柄変動よりも第２特別図柄表示手段２３ｂの図柄変動が優先される。
【００５３】
即ち、第１，第２特別図柄表示手段２３ａ，２３ｂの何れかの変動が終了して次の変動表示が可能な状態となったとき、第１特別保留個数のみが１以上であれば第１大当たり判定手段９９ａによる処理が行われ、少なくとも第２特別保留個数が１以上であれば第２大当たり判定手段９９ｂによる処理が行われるようになっている。
【００５４】
第１，第２特別停止図柄選択手段１００ａ，１００ｂは、第１，第２特別図柄の変動後の停止図柄を選択するもので、第１，第２大当たり判定手段９９ａ，９９ｂによる大当たり／外れの判定結果と、第１，第２特別乱数記憶手段８９ａ，８９ｂに大当たり判定用乱数値と共に記憶されている大当たり図柄用乱数値とに基づいて、第１，第２特別図柄の変動後の停止図柄を選択するように構成されている。
【００５５】
例えば、第１，第２大当たり判定手段９９ａ，９９ｂによる判定結果が大当たり判定であった場合には、大当たり図柄用乱数値に基づいて大当たり図柄である「０」〜「９」の何れかが選択され、第１，第２大当たり判定手段９９ａ，９９ｂによる判定結果が外れ判定であった場合には、外れ図柄である「−」が選択される。
【００５６】
第１，第２変動パターン選択手段１０１ａ，１０１ｂは、第１，第２演出図柄の変動パターンを選択するもので、第１，第２大当たり判定手段９９ａ，９９ｂによる大当たり／外れの判定結果に基づいて、複数種類の特別図柄変動パターンの中から１つを選択するように構成されている。
【００５７】
大当たり発生手段９１は、第１大当たり判定手段９９ａ又は第２大当たり判定手段９９ｂによる判定結果が大当たり判定となり、第１特別図柄表示手段２３ａ又は第２特別図柄表示手段２３ｂの変動後の停止図柄が「７」等の大当たり態様となることに基づいて遊技者に有利となる大当たりを発生させるものである。
【００５８】
大当たり発生手段９１は、第１特別図柄が大当たり図柄になった場合には、その大当たり図柄の種類に応じて第１大当たり、第２大当たりの何れかを選択し、第２特別図柄が大当たり図柄になった場合には、その大当たり図柄の種類に拘わらず第２大当たりのみを選択するように構成されている。
【００５９】
大当たりには、大入賞手段１７を開放する際の開放パターンによって第１大当たりと第２大当たりとがある。第１大当たりは大入賞手段１７が０．２秒開放する動作を２ラウンド行うように設定されている。なお、第１大当たりは大入賞手段１７の１回の開放時間が０．２秒と僅かで、しかもラウンド数も２ラウンドと少ないため、その開放中に大入賞手段１７に遊技球が入賞する可能性は極めて小さくなっている。
【００６０】
第２大当たりは、大入賞手段１７が開放してから所定時間（ここでは２８秒間）経過するか、それまでに所定個数（ここでは９個）の遊技球が入賞することを条件に閉鎖する動作を、所定ラウンド数（ここでは１５ラウンド）行うように設定されている。この第２大当たりの場合には、大入賞手段１７への１個の入賞に対する賞球を１５個とすると、遊技者が普通に発射動作を続けるだけで殆どの場合に９×１５×１５＝２０２５個の出球が期待でき、第１大当たりの場合に比べて遊技者が得られる直接的な利益は格段に大きくなっている。
【００６１】
第１，第２特別図柄表示制御手段９２ａ，９２ｂは第１，第２特別図柄表示手段２３ａ，２３ｂの表示制御を行うもので、第１特別図柄処理手段９０ａ又は第２特別図柄処理手段９０ｂによる特別図柄処理に基づいて第１特別図柄表示手段２３ａ又は第２特別図柄表示手段２３ｂによる第１，第２特別図柄の変動を開始させ、第１，第２変動パターン選択手段１０１ａ，１０１ｂで選択された第１，第２変動パターンに対応する変動時間が経過することに基づいて、第１，第２特別停止図柄選択手段１００ａ，１００ｂで選択された停止図柄で第１，第２特別図柄の変動を停止し確定させるようになっている。
【００６２】
特別遊技状態発生手段９３は、大当たりの終了後の所定期間に遊技者に有利な特別遊技状態、例えば時短遊技状態又は確変遊技状態を発生させるためのもので、第１特別図柄又は第２特別図柄が大当たり態様となって大当たりが発生したときに、その大当たりの終了後、その大当たり態様の種類に応じて、例えば偶数図柄よりなる通常大当たり態様の場合には時短遊技状態を、奇数図柄よりなる特定大当たり態様の場合には確変遊技状態を夫々発生させるようになっている。
【００６３】
時短遊技状態中は、第１，第２特別図柄に関して、第１，第２特別図柄表示手段２３ａ，２３ｂの変動時間が夫々通常変動時間よりも短い短縮変動時間に切り換えられる他、普通図柄に関して、当たり確率が通常確率（例えば１／１０）から高確率（例えば１／１．３）へ、変動時間が通常変動時間（例えば２７秒）から短縮変動時間（例えば２．７秒）へ、第２特別始動口２７ｂの開閉手段２８の開閉パターンが通常開閉パターン（例えば０．２秒×１回開放）から特別開閉パターン（例えば２秒×３回開放）へ、夫々切り換えられるようになっている。
【００６４】
また時短遊技状態にはその継続期間が異なる２種類があり、例えば「０」，「２」の何れかの図柄による通常大当たり態様となった場合に発生する時短遊技状態は第１，第２特別図柄が５０回変動するまで、例えば「４」，「６」，「８」の何れかの図柄による通常大当たり態様となった場合に発生する時短遊技状態は第１，第２特別図柄が１００回変動するまで継続して終了するようになっている。
【００６５】
また確変遊技状態中は、第１，第２特別図柄が大当たり態様となる確率が通常確率  （例えば１／３５０の低確率）から高確率（例えば１／３５）に切り換えられ、更に時短遊技状態と同様の処理が行われるようになっている。
【００６６】
制御コマンド送信手段９４は、所定の制御コマンドを一方向通信により演出制御基板３２等のサブ制御基板側に送信して制御指令を与えるためのもので、第１，第２特別図柄処理手段９０ａ，９０ｂによる第１，第２特別図柄処理に基づいて、第１，第２変動パターンを指定する第１，第２変動パターン指定コマンド、第１，第２特別停止図柄を指定する第１，第２特別停止図柄指定コマンド、第１，第２特別図柄の停止を指定する第１，第２変動停止指定コマンド、第１，第２特別保留個数を指定する第１，第２特別保留個数指定コマンド等を演出制御基板３２側に送信する他、例えば大当たり、特別遊技状態等の各種遊技状態に基づいて、画像、音声、ランプの制御コマンドを演出制御基板３２側に送信するように構成されている。
【００６７】
外部出力手段９５は大当たり信号出力部１０３と遊技状態信号出力部１０４と図柄確定信号出力部１０５とを有し、その各信号出力部１０３〜１０５において、遊技盤１１側の遊技内容に関連する遊技関連信号を外部の管理装置８０へと送信するに当たって、複数種類の特定の遊技内容の夫々に対応する複数の個別の遊技信号を作成し、その信号を所定のタイミングで出力するように構成されている。
【００６８】
例えば、大当たり信号出力部１０３は、図９に示すように大当たり発生手段９１で選択された第１大当たり、第２大当たりの各遊技内容を特定する個別の遊技信号である第１大当たり信号Ｓ１０３Ａ、第２大当たり信号Ｓ１０３Ｂを、その各大当たりの発生から終了時点の一定時間（５秒程度の短時間）後までの間出力するようになっている。
【００６９】
遊技状態信号出力部１０４は、図９に示すように特別遊技状態発生手段９３で選択された時短遊技状態、確変遊技状態の各遊技内容を特定する個別の遊技信号である時短遊技信号Ｓ１０４Ａ、確変遊技信号Ｓ１０４Ｂを、その遊技状態の時間中に出力するようになっている。
【００７０】
図柄確定信号出力部１０５は図９に示すように、第１，第２特別図柄表示制御手段９２ａ，９２ｂの制御による第１特別図柄確定、第２特別図柄確定の各遊技内容を特定する個別の遊技信号である第１図柄確定信号Ｓ１０５Ａ、第２図柄確定信号Ｓ１０５Ｂを、その図柄確定後に一定時間（０．１秒間程度の短時間）出力するようになっている。
【００７１】
大当たり信号出力部１０３、遊技状態信号出力部１０４、図柄確定信号出力部１０５は、ハーネス６１〜６３を介して第１外部接続端子基板４２の対応する外部接続端子５５ａ，５５ｂ，５６ａ，５６ｂ，５７ａ，５７ｂに接続されている。従って、外部接続端子５５ａ，５５ｂからは大当たりに関連する第１大当たり信号Ｓ１０３Ａ、第２大当たり信号Ｓ１０３Ｂを、外部接続端子５６ａ，５６ｂからは特別遊技状態に関連する時短遊技信号Ｓ１０４Ａ、確変遊技信号Ｓ１０４Ｂを、外部接続端子５７ａ，５７ｂからは特別図柄確定に関連する第１図柄確定信号Ｓ１０５Ａ、第２図柄確定信号Ｓ１０５Ｂを夫々個別に取り出すことができる。
【００７２】
選択手段６４〜６６は各遊技関連信号を系統別に大当たり関連、遊技状態関連及び図柄確定関連の３系統に分けられており、その各系統毎に個別の遊技信号とその組み合わせである複数の遊技信号の何れかの遊技関連信号を択一的に選択できるようになっている。
【００７３】
即ち、大当たり関連選択手段６４は、大当たり関連の個別の遊技信号である第１大当たり信号Ｓ１０３Ａ、同じく第２大当たり信号Ｓ１０３Ｂと、これらを組み合わせた複数種類（２種類）の遊技信号との何れかを選択するためのもので、その入力側の端子Ａ，Ｂは大当たり関連の外部接続端子５５ａ，５５ｂに接続され、端子ＣはＯＲ素子１２３を介して外部接続端子５５ａ，５５ｂに接続されている。また出力側は選択された個別又は複数種類の信号Ｓ１０３Ａ，Ｓ１０３Ｂを外部に取り出し可能に大当たり関連外部接続端子６７に接続されている。なお、第１大当たりと第２大当たりとの２種類の大当たり信号を取る場合には遊技性を重視したものとなり、第２大当たり信号Ｓ１０３Ｂのみの場合には賞球の払い出しデータの収集を重視したものとなる。
【００７４】
遊技状態関連選択手段６５は、特別遊技関連の個別の遊技信号である時短遊技信号Ｓ１０４Ａと、同じく確変遊技信号Ｓ１０４Ｂと、これらを組み合わせた複数種類（２種類）の遊技信号との何れかを選択するためのもので、その入力側の端子Ａ，Ｂは特別遊技関連の外部接続端子５６ａ，５６ｂに接続され、端子ＣはＯＲ素子１２４を介して外部接続端子５６ａ，５６ｂに接続されている。また出力側は選択された信号１０４Ａ，１０４Ｂを外部に取り出し可能に遊技状態関連外部接続端子６８に接続されている。なお、時短遊技信号Ｓ１０４Ａのみの場合は、遊技性を重視したものとなる。また時短遊技状態と確変遊技状態との２種類の信号を取る場合は、時短遊技状態の終了後に、確変遊技信号Ｓ１０４Ｂのみの場合は大当たりの終了後に夫々確率変動が分かる。
【００７５】
図柄確定関連選択手段６６は、図柄確定関連の個別の遊技信号である第１図柄確定信号Ｓ１０５Ａと、同じく第２図柄確定信号Ｓ１０５Ｂと、これらを組み合わせた複数種類（２種類）の遊技信号との何れかを選択するためのもので、その入力側の端子Ａ，Ｂは図柄確定関連の外部接続端子５７ａ，５７ｂに接続され、端子ＣはＯＲ素子１２５を介して外部接続端子５７ａ，５７ｂに接続されている。また出力側は選択された確定信号１０５Ａ，１０５Ｂを外部に取り出し可能に図確定関連外部接続端子６９に接続されている。
【００７６】
通常は第１特別図柄確定と第２特別図柄確定との２種類の信号を取るが、時短遊技状態が不明のときは通常時（特別利益状態、特別利益状態以外）のスタート（単位発射個数当たりの図柄確定回数）が算定できないので、この場合には第１図柄確定信号Ｓ１０５Ａで代用する。
【００７７】
各選択手段６４〜６６は例えば摘まみ部等の操作部６４ａ〜６６ａを有するロータリスイッチ等により構成され、操作部６４ａ〜６６ａを操作することにより端子Ａ〜Ｃの何れかに接続して各信号を適宜選択可能である。操作部６４ａ〜６６ａは端子カバー４９の孔から外部に突出しており、端子カバー４９の外側から選択操作できるようになっている。なお、端子カバー４９の裏側には、選択肢の位置が数字、その他の表示法により表示されている。選択手段６４〜６６は押しボタン式、その他のスイッチでもよい。
【００７８】
演出制御基板３２は、第１，第２演出図柄表示手段２５ａ，２５ｂ、第１，第２特別保留個数表示手段２６ａ，２６ｂ、音声出力手段１０７、ランプ手段１０８等の各種演出手段を制御するためのもので、演出図柄表示制御手段１０９、特別保留個数表示制御手段１１０、音声制御手段１１１、ランプ制御手段１１２等を備えている。
【００７９】
演出図柄表示制御手段１０９は第１，第２演出図柄表示手段２５ａ，２５ｂの表示制御を行うもので、主制御基板３４側から第１，第２変動パターン指定コマンドの何れかを受信した場合に、指定された変動パターンに基づいて画像表示装置２１の表示画面２１ａ上で第１演出図柄又は第２演出図柄の変動を開始させると共に、第１変動停止指定コマンド又は第２変動停止指定コマンドを受信したときに、第１特別停止図柄指定コマンド又は第２特別停止図柄指定コマンドと第１変動パターン指定コマンド又は第２変動パターン指定コマンドとに基づいて選択された停止図柄で第１演出図柄又は第２演出図柄の変動を停止させるようになっている。
【００８０】
音声制御手段１１１はスピーカー等の音声出力手段１０７の音声出力制御を行うもので、主制御基板３４側からの音声制御コマンドに基づいて音声出力手段１０７から所定の効果音等を出力させるようになっている。ランプ制御手段１１２はランプ手段１０８等の表示制御を行うもので、主制御基板３４側からのランプ制御コマンドに基づいてランプ手段１０８等を所定のパターンで発光させるようになっている。
【００８１】
パチンコ機を遊技ホールの島設備に設置した場合、その設置後に遊技ホールの管理装置８０と接続する。この場合、島設備側の信号線７７〜７９が３本であれば、その各信号線７７〜７９を第２外部接続端子基板４３の外部接続端子６７〜６９に接続し、各選択手段６４〜６６の操作部６４ａ〜６６ａを操作して、その遊技ホールでのパチンコ機の管理上必要な遊技関連信号を大当たり関連、遊技状態関連及び図柄確定関連の系統別に選択する。
【００８２】
例えば、大当たり、遊技状態及び図柄確定の全ての遊技関連信号を管理する遊技ホールの場合には、大当たり関連選択手段６４を端子Ｃに設定して第１大当たり信号Ｓ１０３Ａと第２大当たり信号Ｓ１０３Ｂとの組み合わせを、遊技状態関連選択手段６５を端子Ｃに設定して時短遊技信号Ｓ１０４Ａと確変遊技信号Ｓ１０４Ｂとの組み合わせを、図柄確定関連選択手段６６を端子Ｃに設定して第１図柄確定信号Ｓ１０５Ａと第２図柄確定信号Ｓ１０５Ｂとの組み合わせを夫々選択する。
【００８３】
従って、第１外部接続端子基板４２には６個の外部接続端子５５ａ，５５ｂ，５６ａ，５６ｂ，５７ａ，５７ｂがあり、その各外部接続端子５５ａ，５５ｂ，５６ａ，５６ｂ，５７ａ，５７ｂから６種類の遊技関連信号を取り出し可能になっているにも拘わらず、第２外部接続端子基板４３を追加装備することによって、管理上必要な遊技関連信号の組み合わせ、遊技関連情報の取捨選択を容易に行うことができる。また信号線７７〜７９の接続作業も容易に行える利点がある。
【００８４】
なお、島設備側の信号線が外部接続端子５５ａ，５５ｂ，５６ａ，５６ｂ，５７ａ，５７ｂと同数の６本ある場合には、第２外部接続端子基板４３を使用せずに、第１外部接続端子基板４２の外部接続端子５５ａ，５５ｂ，５６ａ，５６ｂ，５７ａ，５７ｂから取り出す。この場合、使用しない第２外部接続端子基板４３は取り外すようにしてもよい。
【００８５】
ゲームに際しては、次のように動作する。通常遊技状態における第２特別始動口２７ｂの開閉パターン（通常開閉パターン）は例えば０．２秒×１回である。このため通常遊技状態では、第１特別始動口２７ａへの入賞に比べて第２特別始動口２７ｂへの入賞はごく僅かとなり、特別図柄変動についてもその殆どが第１特別図柄表示手段２３ａによる第１特別図柄の変動となる。
【００８６】
第１特別図柄表示手段２３ａによる第１特別図柄の変動の場合、変動後の停止図柄が大当たり態様になれば大当たり発生手段９１による大当たりが発生し、第１大当たり、第２大当たりの何れかに従って大入賞手段１７が開放する。例えば第２大当たりが選択された場合には、大入賞手段１７が開放してから２８秒間経過するか、それまでに９個の遊技球が入賞することを条件に閉鎖する動作が１５ラウンド行われるため、遊技者は大量の賞球を容易に得ることができる。しかし、第１大当たりが選択された場合には、０．２秒間の開放動作が２ラウンド行われるだけである。
【００８７】
そして、大当たり状態が終了すると、特別遊技状態として所定期間にわたって確変遊技状態、時短遊技状態の何れかが発生する。特別遊技状態中は、それが確変遊技状態、時短遊技状態の何れであっても、第２特別始動口２７ｂの開閉パターンは２秒×３回開放の特別開閉パターンとなり、しかも普通図柄は当たり確率が高確率となり且つ変動時間が短縮されるため、通常遊技状態に比べて第２特別始動口２７ｂへの入賞確率が格段に増加する。しかも第１特別保留個数と第２特別保留個数とが共に１以上の場合には、第１特別図柄表示手段２３ａの図柄変動よりも第２特別図柄表示手段２３ｂの図柄変動が優先して行われる。
【００８８】
これにより特別遊技状態中は、その殆どが第２特別図柄表示手段２３ｂによる第２特別図柄の図柄変動となるが、この第２特別図柄の図柄変動において変動後の停止図柄が大当たり態様となって大当たり状態が発生した場合には、必ず第２大当たりが選択されるため、遊技者は大量の賞球を容易に得ることができる。
【００８９】
第１特別図柄、第２特別図柄の何れかが確定すると、図柄確定信号出力部１０５から信号Ｓ１０５Ａ，Ｓ１０５Ｂが出力され、その信号Ｓ１０５Ａ，Ｓ１０５Ｂを第１外部接続端子基板４２の外部接続端子５７ａ，５７ｂ、第２外部接続端子基板４３の図柄確定関連選択手段６６及び図柄確定関連外部接続端子６９を経て信号線７９から管理装置８０へと送信することができる。このため図柄確定関連選択手段６６により第１図柄確定信号Ｓ１０５Ａと第１図柄確定信号Ｓ１０５Ｂとの両方を選択しておけば、第１特別図柄及び第２特別図柄の変動回数を管理することができる。
【００９０】
第１大当たり、第２大当たりの何れかが発生すると、その大当たり状態の発生時間中、大当たり信号出力部１０３から信号Ｓ１０３Ａ，Ｓ１０３Ｂが出力され、その信号Ｓ１０３Ａ，Ｓ１０３Ｂを第１外部接続端子基板４２の外部接続端子５５ａ，５５ｂ、第２外部接続端子基板４３の大当たり関連選択手段６４及び大当たり関連外部接続端子６７を経て信号線７７から管理装置８０へと送信することができる。このため大当たり関連選択手段６４により第１大当たり信号Ｓ１０３Ａと第１大当たり信号Ｓ１０３Ｂとの両方を選択しておけば、第１大当たり及び第２大当たりの発生回数を管理することができる。
【００９１】
大当たり状態の終了後、時短遊技状態、確変遊技状態の何れかが発生すると、その遊技状態の発生時間中、遊技状態信号出力部１０４から信号Ｓ１０４Ａ，Ｓ１０４Ｂが出力され、その信号Ｓ１０４Ａ，Ｓ１０４Ｂを第１外部接続端子基板４２の外部接続端子５６ａ，５６ｂ、第２外部接続端子基板４３の遊技状態関連選択手段６５及び遊技状態関連外部接続端子６８を経て信号線７８から管理装置８０へと送信することができる。このため遊技状態関連選択手段６６により時短遊技信号Ｓ１０４Ａと確変遊技信号Ｓ１０４Ｂとの両方を選択しておけば、時短遊技状態及び確変遊技状態の発生回数を管理することができる。
【００９２】
図１０及び図１１は本発明の第２の実施例を例示する。この実施例では、裏機構板３６の裏側に第１，第２外部接続端子基板４２，４３が左右に並べて配置されている。裏機構板３６の裏側に十分な余裕がある場合には、このように１個の外部接続端子基板４２，４３を左右又は上下に並べて配置してもよい。
【００９３】
取り付け部５０は２枚の外部接続端子基板４２，４３を左右に配置できる大きさであって、この取り付け部５０に２枚の外部接続端子基板４２，４３がネジ等で着脱自在に固定されている。第２外部接続端子基板４３には、その裏側に選択手段６４〜６６、外部接続端子６７〜６９等が設けられており、第１外部接続端子基板４２とも裏側のハーネス７０〜７２で接続されている。端子カバー４９は上側にヒンジ部１１４を、下側に係合爪１１５を夫々有し、そのヒンジ部１１４が裏機構板３６の裏側のヒンジピン１１６に係脱自在に係合し，係合爪１１５が裏機構板３６の裏側の係合部１１７に係脱自在に係合している。選択手段６４〜６６の操作部６４ａ〜６６ａは端子カバー４９内に入っている。
【００９４】
図１２及び図１３は本発明の第３の実施例を例示する。島設備の信号線７７，７９が２本の場合には、図１２及び図１３に示すように、大当たり関連、遊技状態関連、図柄確定関連の複数種類の遊技関連信号をその種類数よりも少ない複数の遊技関連信号を単位組とする図柄確定関連と大当たり・遊技状態関連との２組（複数組）に分けて、その図柄確定関連の複数の遊技関連信号の何れかを図柄確定関連選択手段６６により、大当たり・遊技状態関連の複数の遊技関連信号の何れかを大当たり・遊技状態関連選択手段１２０により夫々択一的に選択するればよい。なお、遊技関連信号には、個別の遊技信号と、その組み合わせである複数の遊技信号とがある。なお、図柄確定関連は第１の実施例と同様である。
【００９５】
大当たり関連と特別遊技関連は、大当たり・遊技状態関連として１組（即ち、１つの系統）にまとめている。そして、大当たり・遊技状態関連選択手段１２０は、大当たり・遊技状態関連の個別の遊技信号である第１大当たり信号Ｓ１０３Ａ、第２大当たり信号Ｓ１０３Ｂ、時短遊技信号Ｓ１０４Ａ、確変遊技信号Ｓ１０４Ｂと、これらの一部、全部を組み合わせた複数種類の遊技信号との何れかを選択するためのものである。
【００９６】
そして、大当たり・遊技状態関連選択手段１２０の入力側の端子Ａ，Ｂは大当たり関連の外部接続端子５５ａ，５５ｂに、端子ＣはＯＲ素子１２３を介して外部接続端子５５ａ，５５ｂに、端子Ｄ，Ｅは特別遊技関連の外部接続端子５６ａ，５６ｂに、端子ＦはＯＲ素子１２４を介して外部接続端子５６ａ，５６ｂに、端子ＧはＯＲ素子１２６を介して外部接続端子５５ａ，５５ｂ，５６ａに、端子ＨはＯＲ素子１２７を介して外部接続端子５５ａ，５５ｂ，５６ｂに、端子ＩはＯＲ素子１２８を介して外部接続端子５５ａ，５５ｂ，５６ａ，５６ｂに夫々接続されている。なお、大当たり・遊技状態関連選択手段１２０で選択された信号は、大当たり・遊技状態関連外部接続端子１２１から信号線７７を経て出力するようになっている。
【００９７】
この場合には、大当たり・遊技状態関連選択手段１２０により９種類の遊技信号の何れかを選択して、その遊技信号を大当たり・遊技状態関連外部接続端子１２１から取り出すことができる。例えば、大当たり・遊技状態関連選択手段１２０を端子Ｉに接続すれば、大当たり関連の第１大当たり信号Ｓ１０３Ａ及び第２大当たり信号Ｓ１０３Ｂ、特別遊技関連の時短遊技信号Ｓ１０４Ａ及び確変遊技信号Ｓ１０４Ｂを取り出すことができる。
【００９８】
以上、本発明の実施形態について詳述したが、本発明はこれらの実施形態に限定されるものではなく、本発明の趣旨を逸脱しない範囲で種々の変更が可能である。例えば、実施例では遊技盤１１側の遊技動作に関連する遊技内容を大当たり関連、遊技状態関連、図柄確定関連、大当たり・遊技状態関連の系統に分類しているが、複数種類の遊技内容を含むように細分類することも可能である。
【００９９】
また大入賞手段１７が第１大当たりと同様の開閉パターンで開閉し、時短遊技状態、確変遊技状態のない小当たりがある場合には、その小当たりを対象にした小当たり信号を設ける等、別の遊技内容を１単位として遊技内容信号を構成してもよい。例えば、第１大当たりと小当たりとを選択すれば、チャンスタイムの回数を計数できる。更に時短遊技状態では、第１特別図柄、第２特別図柄の変動時間を短縮する他に、他に制御を行うようにしているが、時短遊技に限らず、単独の制御、複合的な制御の何れを採用してもよい。特別遊技状態には、特別図柄の確率変動とその変動時間の短縮とを併用する変動短縮を採用してもよい。
【０１００】
実施例では、島設備の信号線が第１外部接続端子基板４２の外部接続端子５５ａ，５５ｂ，５６ａ，５６ｂ，５７ａ，５７ｂの数より少ない場合には、第１外部接続端子基板４２とは別に、信号線の数と同数の選択手段６４〜６６，１２０、外部接続端子６７〜６９、１２１を有する第２外部接続端子基板４３を追加する形態を採用しているが、選択手段６４〜６６，１２０、外部接続端子６７〜６９、１２１を第１外部接続端子基板４２に設けてもよい。
【０１０１】
複数種類の遊技関連信号をその種類数よりも少ない複数の遊技関連信号を単位組とする複数組に分ける場合、第３の実施例では、１２種類の遊技信号を、図柄確定関連の３種類の信号を単位組とする図柄確定関連組と、大当たり・遊技状態関連の９種類の信号を単位組とする大当たり・遊技状態関連組との二組に分けているが、図柄確定関連の一部又は全部と大当たり関連の一部又は全部とで単位組を構成してもよいし、図柄確定関連の一部又は全部と遊技状態関連の一部又は全部とで単位組を構成してもよい。
【０１０２】
多数ある遊技信号をそれよりも少ない数の信号を１組とする単位組に分ける場合の組数は、島設備側の信号線の数に一致させればよい。また本発明は、パチンコ機に限らず、アレンジボール機、雀球遊技機等の各種の弾球遊技機においても同様に実施することが可能である。
【符号の説明】
【０１０３】
１  遊技機本体
１１  遊技盤
２３ａ，２３ｂ  第１，第２特別図柄表示手段
２５ａ，２５ｂ  第１，第２演出図柄表示手段  
３６  裏機構板
４２，４３  第１，第２外部接続端子基板
５５ａ〜５５ｃ，５６ａ〜５６ｃ，５７ａ〜５７ｃ  外部接続端子
６４  大当たり関係選択手段
６５  遊技状態関係選択手段
６６  図柄確定関係選択手段
６７  大当たり関係外部接続端子
６８  遊技状態関係外部接続端子
６９  図柄確定関係外部接続端子
７７〜７９  信号線
８０  管理装置
９１  大当たり発生手段
９２ａ，９２ｂ  第１，第２特別図柄表示制御手段
９３  特別遊技状態発生手段
９５  外部出力手段
１０３  大当たり信号出力部
１０４  遊技状態信号出力部
１０５  図柄確定信号出力部
１２０  大当たり・遊技状態関連選択手段
１２１  大当たり・遊技状態関連外部接続端子
Ｓ１０３Ｂ  第２大当たり信号
Ｓ１０４Ａ  時短遊技信号
Ｓ１０４Ｂ  確変遊技信号
Ｓ１０５Ａ  第１図柄確定信号
Ｓ１０５Ｂ  第２図柄確定信号
【図１】
2011011089.tif 000003
【図２】
2011011089.tif 000004
【図３】
2011011089.tif 000005
【図４】
2011011089.tif 000006
【図５】
2011011089.tif 000007
【図６】
2011011089.tif 000008
【図７】
2011011089.tif 000009
【図８】
2011011089.tif 000010
【図９】
2011011089.tif 000011
【図１０】
2011011089.tif 000012
【図１１】
2011011089.tif 000013
【図１２】
2011011089.tif 000014
【図１３】
2011011089.tif 000015
【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
第１外部接続端子基板に複数種類の遊技関連信号を取り出し可能な複数の外部接続端子を備えた弾球遊技機において、前記第１外部接続端子基板又は前記第１外部接続端子基板とは別の第２外部接続端子基板に、複数種類の遊技関連信号を同系統の複数の遊技関連信号を単位組とする複数組に分けて、その各単位組毎に該単位組内の複数の遊技関連信号を択一的に選択する選択手段と、該選択手段で選択された遊技関連信号を外部に取り出し可能な選択外部接続端子とを備えたことを特徴とする弾球遊技機。
【手続補正２】
【補正対象書類名】明細書
【補正対象項目名】０００６
【補正方法】変更
【補正の内容】
【０００６】
本発明は、第１外部接続端子基板に複数種類の遊技関連信号を取り出し可能な複数の外部接続端子を備えた弾球遊技機において、前記第１外部接続端子基板又は前記第１外部接続端子基板とは別の第２外部接続端子基板に、複数種類の遊技関連信号を同系統の複数の遊技関連信号を単位組とする複数組に分けて、その各単位組毎に該単位組内の複数の遊技関連信号を択一的に選択する選択手段と、該選択手段で選択された遊技関連信号を外部に取り出し可能な選択外部接続端子とを備えたものである。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】